(57)【要約】【課題】携帯電話の送受信中やメールの遣り取り中、鏡の利用も同時に使用出来るのを目的と、隣の人目からのデータ保護を目的とする。【解決手段】携帯電話の送受信中やメールの遣り取り中でも、簡単なお化粧直しやネクタイのずれの直しなどを同時に行われるように設けた携帯電話機ミラー（１）であり、携帯電話機液晶ディスプレイ保護用パネルの片面、または両面を鏡に、また、携帯電話機液晶ディスプレイ保護用パネルを二重に設け、内側のパネルは携帯電話機液晶ディスプレイ保護用パネルに設け、表側のパネルを鏡用に設けた携帯電話機ミラー（１）である。また、携帯電話機ミラー（１）の開閉には開閉ボタン（２）と蝶番い（３）を設け手動式、または自動式や半自動式に設けた携帯電話機ミラー（１）である。【選択図】  図２
0003102137.tif 000002
【実用新案登録請求の範囲】
【請求項１】
携帯電話機液晶ディスプレイ保護用パネルを開閉用の鏡に設けた携帯電話機ミラー（１）で、携帯電話機液晶ディスプレイ保護用パネルの表側と裏側の片面に、または両面に、また携帯電話機液晶ディスプレイ保護用パネルを二重に設け、内側パネルは携帯電話機液晶ディスプレイ保護用に設け、表側パネルは手動式、または自動式や半自動式開閉用に設けた携帯電話機ミラー（１）
【請求項２】
携帯電話機の液晶ディスプレイを透明に設け下部ガラス板を鏡に、または下部ガラス板の下に薄型鏡板を設けた携帯電話機ミラー（１）
【考案の詳細な説明】
【０００１】
【考案の属する技術分野】
この考案は、携帯電話機液晶ディスプレイ保護用パネルを開閉式の鏡に設けた携帯電話機ミラーに関するもので、携帯電話機液晶ディスプレイ保護用パネルに開閉ボタンと蝶番いを設け開閉になるように設け、携帯電話機液晶ディスプレイ保護用パネルの片面に、または両面に鏡を設ける。また、携帯電話機液晶ディスプレイ保護用パネルを二重に設け、内側のパネルは携帯電話機液晶ディスプレイ保護用パネルに、表側のパネルは開閉用鏡に設けた携帯電話機ミラーである。
【０００２】
【従来の技術】
従来は、携帯電話機の送受信中やメールの遣り取り中に鏡を使用する場合には一旦、携帯電話機の送受信を中止、または中止状態にさせなければならない不便を伴い精神的にも不安なことであった。また、メール内容ガ隣の人に読まれる場合もありプライバシーの侵害の恐れもあった。
【０００３】
【考案が解決しようとする課題】
これには、次のような欠点があった。
待ち合わせや歩行時の携帯電話の送受信中やメールの遣り取り中、簡単な顔のお化粧直しやネクタイのずれ直しなどに鏡の取り出しには無理な姿勢を求められ精神的にも焦り不安であった。
本案は、これらの欠点を除くために考案されたものである。
【０００４】
【課題を解決するための手段】
携帯電話機液晶ディスプレイ保護用パネルを開閉用の鏡に設けるために携帯電話機液晶ディスプレイ保護用パネルの片面、または両面を鏡に設ける。
また、携帯電話機液晶ディスプレイ保護用パネルを二重に設け、内側パネルを携帯電話機液晶ディスプレイ保護用パネルに設け、表側パネルは鏡用に設ける。
鏡用のパネルを手動型、または自動型や半自動型などの開閉になれる蝶番いを設けた携帯電話機ミラーである。
また、携帯電話の使用中には携帯電話機ミラーの開きを直角状態にすれば隣の人目からのプライバシーも保てることになる。
以上の構成からなる携帯電話機ミラー（１）
【０００５】
【考案の実施の形態】
携帯電話機ミラー（１）は携帯電話使用中でも携帯電話機ミラー（１）の使用が同時に行われるように設けたものである。
【０００６】
【実施例】
以下、本考案の実施例について説明する。
（イ）携帯電話機ミラー（１）の手動開閉型は開閉ボタン（２）を押して携帯電話機ミラー（１）が蝶番い（３）を中心として開かれるようにする。
自動開閉型や半自動開閉型には上記手順は不必要である。
（ロ）開かれた携帯電話機ミラー（１）を程良い角度になるように手動で開き、携帯電話の送受信やメールの遣り取りなどの操作中でも簡単なお化粧直しやネクタイのずれ直しなどを行うことが出来る。
（ハ）携帯電話機ミラー（１）の開き角度を直角状態にすれば、携帯電話機液晶ディスプレイに表示されるデータを隣の人から読まれることなくプライバシーを保てることが出来る。
（ニ）操作終了後は携帯電話機ミラー（１）を手動で閉じる。
自動開閉型には上記手順は不必要である。
【０００７】
【考案の効果】
携帯電話の送受信やメールの遣り取り中、簡単なお化粧直しやネクタイのずれの直しなどに使われる鏡を使用中の携帯電話機から簡単に開き、利用なれるように設けたもので、人ごみの中でも気楽に使用が出来る。
また、メールの内容が隣の人目から見られないように携帯電話ミラーがカバーの役割をすることにもなりプライバシーを保てることになる。
【図面の簡単な説明】
【図１】本考案の平面図である。
【図２】本考案の平面部分斜視図である。
【図３】本考案の部分平面図である。
【符号の説明】
１  携帯電話機ミラー
２  開閉ボタン
３  蝶番い
４  携帯電話機
【図１】
0003102137.tif 000003
【図２】
0003102137.tif 000004
【図３】
0003102137.tif 000005
【手続補正書】
【提出日】平成15年6月16日(2003.6.16)
【手続補正１】
【補正対象書類名】明細書
【補正対象項目名】全文
【補正方法】変更
【補正の内容】
【実用新案登録請求の範囲】
【請求項１】携帯電話機に設けられてる液晶ディスプレイの保護用パネルを表側パネル（４）と内側パネル（５）の二重に設け、表側パネル（４）を開閉用に設け、表側パネル（４）の表面に表面鏡（６）を、表面パネル（４）の裏面に裏面鏡（７）を設け、また表面パネル（４）は手動式、または自動式、半自動式開閉用に設けた携帯電話機ミラー（１）。
【請求項２】携帯電話機に設けられている液晶ディスプレイを透明液晶に設け、裏側液晶ガラス板（９）を液晶ガラス鏡板（１０）に、または裏側液晶ガラス板（９）の裏側に鏡板（１１）を設けた携帯電話機ミラー（１）。
【考案の詳細な説明】
【０００１】
【考案の属する技術分野】
この考案は、携帯電話機液晶ディスプレイ保護用パネルを二重に設け、表側のパネルを開閉用鏡に設けた携帯電話機ミラーである。または液晶ディスプレイの液晶を透明に設け裏側液晶ガラス板を鏡に設ける。
または、液晶ガラス板の裏側へ鏡板を設けた携帯電話機ミラーである。
【０００２】
【従来の技術】
従来は、携帯電話機の送受信中やメールのやり取り中に鏡を使用する場合には一旦、携帯電話機の送受信を中止、または中止状態にさせなければならない不便なことであった。また、メール内容ガ隣の人に読まれる場合もありプライバシー侵害の恐れもあった。
【０００３】
【考案が解決しようとする課題】
これには、次のような欠点があった。
携帯電話の送受信中やメールの遣り取り中に簡単な顔のお化粧直しやネクタイのずれ直しなどに鏡の取り出しには無理な姿勢を求められ精神的にも焦り不便であった。
本案は、これらの欠点を除くために考案されたものである。
【０００４】
【課題を解決するための手段】
携帯電話機液晶ディスプレイ保護用パネルを開閉用の鏡に設けるために二重に設け、内側パネルを本来の液晶ディスプレイ保護用に設け、表側パネルを両面、または片面の鏡用に設け、手動式や自動式、半自動式などの開閉になれるよう開閉ボタンや蝶番を設けた携帯電話機ミラーである。
また、携帯電話の使用中には携帯電話機ミラーの開きを直角状態にすれば隣人視線からのプライバシーも保てることになる。また、液晶ディスプレイの液晶を透明液晶に設け、裏側液晶がラス板を鏡に設ける。また、液晶ガラス板の裏側に鏡板を設ける。
以上の構成からなる携帯電話機ミラー（１）。
【０００５】
【考案の実施の形態】
携帯電話機ミラー（１）は携帯電話機に鏡を設けたものである。
【０００６】
【実施例】
以下、本考案の実施例について説明する。
（イ）携帯電話機ミラー（１）の表面パネル（４）が開閉ボタン（２）の操作により蝶番（３）を中心として開かれるようにする。
（ロ）開かれた表側パネル（４）は自由な角度に手動調整が出き、携帯電話の送受信やメールのやり取りなどの操作中でも簡単なお化粧直しやネクタイのずれ直しなどを行うことが出来る。
（ハ）鏡用パネルは開く角度の調整により、ディスプレイに表示されるデータを隣の人から読まれることを防ぎプライバシーを保てられる。
（ニ）液晶ガラス鏡板（１０）または、液晶ガラス鏡板（１０）の裏側に設けられた鏡板（１１）は透明液晶ディスプレイの表示機能如何により鏡機能につながることになる。
【０００７】
【考案の効果】
携帯電話の送受信やメールのやり取り中に簡単なお化粧直しやネクタイのずれの直しなどに使われる鏡を使用中の携帯電話機から簡単に開き利用なれるように設けたもので、人ごみの中でも気楽に使用が出来る。
また、メールの内容が隣の人目から見られないようにカバーの役割をすることにもなりプライバシーを保てられる。
【図面の簡単な説明】
【図１】本考案の平面図である。
【図２】本考案の部分分解斜視図である。
【図３】本考案の開平面図である。
【図４】本考案の部分分解開斜視図である。
【図５】本考案の正面図である。
【図６】本考案の部分分解斜視図である。
【符号の説明】
１  携帯電話機ミラー
２  開閉ボタン
３  蝶番
４  表面パネル
５  内側パネル
６  表面鏡
７  裏面鏡
８  表側液晶ガラス板
９  裏側液晶ガラス板
１０  液晶ガラス鏡板
１１  鏡板


【手続補正２】
【補正対象書類名】図面
【補正対象項目名】全図
【補正方法】変更
【補正の内容】
【図１】
0003102137.tif 000006
【図２】
0003102137.tif 000007
【図３】
0003102137.tif 000008
【図４】
0003102137.tif 000009
【図５】
0003102137.tif 000010
【図６】
0003102137.tif 000011
【図７】
0003102137.tif 000012
【図８】
0003102137.tif 000013
【手続補正書】
【提出日】平成15年9月18日(2003.9.18)
【手続補正１】
【補正対象書類名】明細書
【補正対象項目名】全文
【補正方法】変更
【補正の内容】
【実用新案登録請求の範囲】
【請求項１】携帯電話機に設けられてる液晶ディスプレイの保護用パネルを表側パネル（４）と内側パネル（５）の二重に設け、表側パネル（４）を開閉用に設け、表側パネル（４）の表面を表面鏡（６）を、表面パネル（４）の裏面に裏面鏡（７）に設け、また表面パネル（４）は手動式、または自動式、半自動式開閉用に設けた携帯電話機ミラー（１）。
【請求項２】携帯電話機に設けられている液晶ディスプレイを透明液晶に設け、裏側液晶ガラス板（９）を液晶ガラス鏡板（１０）に、または裏側液晶がラス板（９）の裏側に鏡板（１１）を設けた携帯電話機ミラー（１）。
【考案の詳細な説明】
【０００１】
【考案の属する技術分野】
この考案は、携帯電話機液晶ディスプレイ保護用パネルを二重に設け、表側のパネルを開閉用鏡に設けた携帯電話機ミラーである。または液晶ディスプレイの液晶を透明に設け裏側液晶ガラス板を鏡に設ける。
または、液晶ガラス板の裏側へ鏡板を設けた携帯電話機ミラーである。
【０００２】
【従来の技術】
従来は、携帯電話機の送受信中やメールのやり取り中に鏡を使用する場合には一旦、携帯電話機の送受信を中止、または中止状態にさせなければならない不便なことであった。また、メール内容ガ隣の人に読まれる場合もありプライバシー侵害の恐れもあった。
【０００３】
【考案が解決しようとする課題】
これには、次のような欠点があった。
携帯電話の送受信中やメールの遣り取り中に簡単な顔のお化粧直しやネクタイのずれ直しなどに鏡の取り出しには無理な姿勢を求められ精神的にも焦り不便であった。
本案は、これらの欠点を除くために考案されたものである。
【０００４】
【課題を解決するための手段】
携帯電話機液晶ディスプレイ保護用パネルを開閉用の鏡に設けるために二重に設け、内側パネルを本来の液晶ディスプレイ保護用に設け、表側パネルを両面、または片面の鏡用に設け、手動式や自動式、半自動式などの開閉になれるよう開閉ボタンや蝶番を設けた携帯電話機ミラーである。
また、携帯電話の使用中には携帯電話機ミラーの開きを直角状態にすれば隣人視線からのプライバシーも保てることになる。また、液晶ディスプレイの液晶を透明液晶に設け、裏側液晶がラス板を鏡に設ける。また、液晶ガラス板の裏側に鏡板を設ける。
以上の構成からなる携帯電話機ミラー（１）。
【０００５】
【考案の実施の形態】
携帯電話機ミラー（１）は携帯電話機に鏡を設けたものである。
【０００６】
【実施例】
以下、本考案の実施例について説明する。
（イ）携帯電話機ミラー（１〉の表面パネル（４）が開閉ボタン（２）の操作により蝶番（３）を中心として開かれるようにする。
（ロ）開かれた表側パネル（４）は自由な角度に手動調整が出き、携帯電話の送受信やメールのやり取りなどの操作中でも簡単なお化粧直しやネクタイのずれ直しなどを行うことが出来る。
（ハ）鏡用パネルは開く角度の調整により、ディスプレイに表示されるデータを隣の人から読まれることを防ぎプライバシーを保てられる。
（ニ）液晶ガラス鏡板（１０）または、液晶ガラス鏡板（１０）の裏側に設けられた鏡板（１１）は透明液晶ディスプレイの表示機能如何により鏡機能につながることになる。
【０００７】
【考案の効果】
携帯電話の送受信やメールのやり取り中に簡単なお化粧直しやネクタイのずれの直しなどに使われる鏡を使用中の携帯電話機から簡単に開き利用なれるように設けたもので、人ごみの中でも気楽に使用が出来る。
また、メールの内容が隣の人目から見られないようにカバーの役割をすることにもなりプライバシーを保てられる。
【図面の簡単な説明】
【図１】本考案の平面図である。
【図２】本考案の部分分解斜視図である。
【図３】本考案の開平面図である。
【図４】本考案の部分分解開斜視図である。
【図５】本考案の正面図である。
【図６】本考案の部分分解斜視図である。
【図７】本考案の鏡板正面図である。
【図８】本考案の鏡板部分分解開斜視図である。
【符号の説明】
１  携帯電話機ミラー
２  開閉ボタン
３  蝶番
４  表面パネル
５  内側パネル
６  表面
７  裏面鏡
８  表側鏡液晶ガラス板
９  裏側液晶ガラス板
１０  液晶ガラス鏡板
１１  鏡板


【手続補正２】
【補正対象書類名】図面
【補正対象項目名】全図
【補正方法】変更
【補正の内容】
【図１】
0003102137.tif 000014
【図２】
0003102137.tif 000015
【図３】
0003102137.tif 000016
【図４】
0003102137.tif 000017
【図５】
0003102137.tif 000018
【図６】
0003102137.tif 000019
【図７】
0003102137.tif 000020
【図８】
0003102137.tif 000021